(57)【要約】【課題】ロール状クレープ紙を適宜の長さ引き出して簡易に切断することができるペーパーホルダーを提供する。【解決手段】  ミートペーパー用のロールペーパーホルダであって、基端部において枢着されて倒伏自在であるとともに前端側が下方にむかって湾曲されたロールペーパーの上部を被覆するカバー部を備え、そのカバー部の前端部に幅方向に沿ってシートが通されるスリット孔を有し、かつそのスリット孔の幅方向両端部の基端側縁にのみ鋸刃部が設けられているロールペーパーホルダにより解決される。【選択図】図１
2010052817.tif 000002
【特許請求の範囲】
【請求項１】
生鮮品の包装又は生鮮品から発生するドリップを吸収する用途に用いられるクレープ紙をロール状に巻いたロールペーパーを適当長さ引き出して切断するロールペーパーホルダであって、
前記ロールペーパーホルダは、
支持されるロールペーパーよりも幅広のホルダ本体部と、
本体部の両端部から突設し、装填されるロールペーパーを回転自在に支持する軸支部と、
基端部において枢着されて倒伏自在であるとともに前端側が下方にむかって湾曲され、前記軸支部に支持された状態のロールペーパーの上部を被覆するカバー部とを備え、
かつ、前記カバー部の前端部に幅方向に沿ってシートが通されるスリット孔を有し、
そのスリット孔の幅方向両端部であって、かつ前記カバー部の基端側縁のみに鋸刃部が設けられていること特徴とするロールペーパーホルダ。
【請求項２】
生鮮品の包装又は生鮮品から発生するドリップを吸収する用途に用いられるクレープ紙をロール状に巻いたロールペーパーを適当長さ引き出して切断するロールペーパーホルダであって、
前記ロールペーパーホルダは、
支持されるロールペーパーよりも幅広のホルダ本体部と、
本体部の両端部から突設し、装填されるロールペーパーを回転自在に支持する軸支部と、
基端部において枢着されて倒伏自在であるとともに前端側が下方にむかって湾曲され、前記軸支部に支持された状態のロールペーパーの上部を被覆するカバー部とを備え、
前記カバー部の前端部に幅方向に沿ってシートが通されるスリット孔を有し、
そのスリット孔の幅方向両端部であって、かつ前記カバー部の基端側縁及び前端側縁の双方に鋸刃部が設けられていること特徴とするロールペーパーホルダ。
【請求項３】
生鮮品の包装又は生鮮品から発生するドリップを吸収する用途に用いられるクレープ紙をロール状に巻いたロールペーパーを適当長さ引き出して切断するロールペーパーホルダであって、
前記ロールペーパーホルダは、
支持されるロールペーパーよりも幅広のホルダ本体部と、
本体部の両端部から突設し、装填されるロールペーパーを回転自在に支持する軸支部と、
基端部において枢着されて倒伏自在であるとともに前端側が下方にむかって湾曲され、前記軸支部に支持された状態のロールペーパーの上部を被覆するカバー部とを備え、
前記カバー部に、その前端中央部から両側縁に向かって細長に欠損された一対の欠損部を有し、この欠損部の幅方向最奥部であってカバー部の基端側縁に鋸刃部が設けられていること特徴とするロールペーパーホルダ。
【発明の詳細な説明】
【技術分野】
【０００１】
本発明は、生鮮品を取り扱う精肉店、鮮魚店、飲食店の厨房等において生鮮品を包装したり、生鮮品から発生するドリップの拭き取りに用いたりするミートペーパーとも呼ばれるクレープ紙をロール状にしたものを保持し、適当長さ裁断しやすくするためのペーパーホルダーに関する。
【背景技術】
【０００２】
生鮮品を取り扱う精肉店、鮮魚店、飲食店の厨房等において生鮮品を包装したり、生鮮品から発生するドリップの拭き取りに用いたりするミートペーパーとも呼ばれるクレープ紙は、一般にロール状に巻かれたロール紙の状態で供される。
【０００３】
この種のミートペーパーは、生鮮品から発生するドリップを拭き取ったり、吸収したりする必要があることから坪量が２０〜１００ｇ／ｍ2の範囲、一般的には３７〜６０ｇ／ｍ2程度とされ、また業務用の大きな肉塊や鮮魚を包装する必要があることから、紙幅（ロール幅）が概ね２５０〜７００ｍｍと幅広になっている。
【０００４】
そして、この種のミートペーパーが使用される環境である厨房等は、周囲に棚等が多く存在し、下方にはキッチン台などが存在することから、自由となる空間が上方に限られていることが多く、このためミートペーパーを使用する際には、ロールから適当量引き出した後、引出した部分とロール状の部分との間の側端に切れ目をいれ、その後にシート端部を片手で掴んで空間に余裕のある上方に向かって、大きく腕を上げるようにしてシートを一気に捲りあげてシートを破断させるようにして適宜長を裁断している。
【０００５】
しかし、このような裁断は、慣れない人には上手く出来ない。上記のように米坪が高いことから非常に強度があり、片手で切るためにはある程度の熟練が必要である。また、裁断後の切り口が紙の幅方向に対して斜めに破れたような様相となるため、見た目がよいものではない。
このため、ある程度慣れるまでは両手を用いて裁断したり、カッターナイフや包丁を用いて裁断するため、作業性の悪化を招いている。また、カッターナイフや包丁を使うことで安全性の問題も懸念される。
【０００６】
また、ミートペーパーの中にはミシン目を擁するものがある。ミシン目があることによって切りやすさにおいては改善がなされている反面、生鮮品に適した寸法に切りづらいという難点もある。
【０００７】
他方、従来、このようなミートペーパーを効果的に支持するホルダがなく、一般的には、キッチン台の壁際に置かれて使用されていることが多い。しかし、キッチン台への直置きは、衛生面からは好ましいものではない。また、キッチン台の下にしまう場合もあるが、台置きに比べて衛生的である反面、作業性が悪いことが問題となっている。
【特許文献１】特許４０６０８４２号
【発明の開示】
【発明が解決しようとする課題】
【０００８】
そこで、本発明の主たる課題は、上述の生鮮品を扱う現場にて用いられている長尺のロール状クレープ紙を、適宜の長さ引き出して作業性を悪化させず簡易に切断することができるペーパーホルダーを提供することにある。
【課題を解決するための手段】
【０００９】
上記課題を解決した本発明は次記のとおりである。
＜請求項１記載の発明＞
生鮮品の包装又は生鮮品から発生するドリップを吸収する用途に用いられるクレープ紙をロール状に巻いたロールペーパーを適当長さ引き出して切断するロールペーパーホルダであって、
前記ロールペーパーホルダは、
支持されるロールペーパーよりも幅広のホルダ本体部と、
本体部の両端部から突設し、装填されるロールペーパーを回転自在に支持する軸支部と、
基端部において枢着されて倒伏自在であるとともに前端側が下方にむかって湾曲され、前記軸支部に支持された状態のロールペーパーの上部を被覆するカバー部とを備え、
かつ、前記カバー部の前端部に幅方向に沿ってシートが通されるスリット孔を有し、
そのスリット孔の幅方向両端部であって、かつ前記カバー部の基端側縁のみに鋸刃部が設けられていること特徴とするロールペーパーホルダ。
【００１０】
＜請求項２記載の発明＞
生鮮品の包装又は生鮮品から発生するドリップを吸収する用途に用いられるクレープ紙をロール状に巻いたロールペーパーを適当長さ引き出して切断するロールペーパーホルダであって、
前記ロールペーパーホルダは、
支持されるロールペーパーよりも幅広のホルダ本体部と、
本体部の両端部から突設し、装填されるロールペーパーを回転自在に支持する軸支部と、
基端部において枢着されて倒伏自在であるとともに前端側が下方にむかって湾曲され、前記軸支部に支持された状態のロールペーパーの上部を被覆するカバー部とを備え、
前記カバー部の前端部に幅方向に沿ってシートが通されるスリット孔を有し、
そのスリット孔の幅方向両端部であって、かつ前記カバー部の基端側縁及び前端側縁の双方に鋸刃部が設けられていること特徴とするロールペーパーホルダ。
【００１１】
＜請求項３記載の発明＞
生鮮品の包装又は生鮮品から発生するドリップを吸収する用途に用いられるクレープ紙をロール状に巻いたロールペーパーを適当長さ引き出して切断するロールペーパーホルダであって、
前記ロールペーパーホルダは、
支持されるロールペーパーよりも幅広のホルダ本体部と、
本体部の両端部から突設し、装填されるロールペーパーを回転自在に支持する軸支部と、
基端部において枢着されて倒伏自在であるとともに前端側が下方にむかって湾曲され、前記軸支部に支持された状態のロールペーパーの上部を被覆するカバー部とを備え、
前記カバー部に、その前端中央部から両側縁に向かって細長に欠損された一対の欠損部を有し、この欠損部の幅方向最奥部であってカバー部の基端側縁に鋸刃部が設けられていること特徴とするロールペーパーホルダ。
【発明の効果】
【００１２】
本発明によれば、生鮮品を扱う現場にて用いられている長尺のロール状クレープ紙を、適宜の長さ引き出して簡易に切断することができるペーパーホルダーが提供される。
【発明を実施するための最良の形態】
【００１３】
次いで、本発明の実施の形態を図１〜４を参照しながら以下に詳述する。
『第１の実施の形態』
まず第１の実施の形態を図１及び２を参照しながら説明する。図１は、第１の実施の形態にかかるロールペーパーホルダの概略斜視図である。図２は、そのカバー部の前端部近傍の正面図である。
【００１４】
本形態のロールペーパーホルダＸ１は、生鮮品の包装又は生鮮品から発生するドリップを吸収する用途に用いられるクレープ紙をロール状に巻いたロールペーパーＲを適当長さ引き出して切断するするロールペーパーホルダである。
このロールペーパーホルダＸ１は、大きくホルダ本体部１と軸支部２とカバー部３とで構成されている。
【００１５】
前記ホルダ本体部１は、キッチン台などに載置するための台座部１１と、この台座部１１の背面側に一体的に立設する背壁部１２と、前記背壁部１２の幅方向両側縁部からは前方側へ突出する一対の支持板部１３，１３とで構成されている。なお、壁掛け専用とする場合には、必ずしも台座部１１は必要ではない。
【００１６】
前記支持板部１３，１３は、スライド機構によって背壁部１２から突出された状態で背壁部の幅方向にスライド移動可能に構成されており、両支持板１３，１３間の離間距離が調節可能となっている。
【００１７】
なおスライド機構は、既知の構成が利用できるが、本形態では、背壁部１２に幅方向に沿って形成された溝部１２Ｖに対して、支持板部１３の基端に形成された凸部１３Ａが摺動自在に係合されて、スライドするように構成されている。
【００１８】
他方、前記支持板部１３の前端部に、対面する他方の支持板部１３に向かって各々突出した軸支持部２，２が設けられている。これら各軸支部２，２がロールペーパーＲの管芯ｒ１内に挿入されることで、ロールペーパーＲが回動自在に支持される。なお、ロールペーパーＲの挿入は、前記スライド機構によって支持板部１３，１３間を広げることで可能となる。
【００１９】
他方、前記カバー部３は、基端側が背壁部１２の特に支持板部１３、１３よりも高い位置において、回転軸部３１を介して枢着されており、装填したロールペーパーＲの上部を被覆する。
枢着されていることで、ロールペーパーＲの装填時には、カバー部３は起立させておくことができ、使用中は、ロールペーパーＲとの接触状態を保つことができる。
【００２０】
他方、このカバー部３は、前端部３Ｆが適宜な湾曲形状となっているとともにその前端３ｅ位置が前記軸支部２の上端高さから±２０ｍｍの位置にあり、ペーパーＲの消費が進んで小径となった場合でも、所定の関係位置でロールペーパーＲに接するようになっている。
【００２１】
そして、このカバー部３には、特徴的に、その前端部３Ｆに幅方向に沿ってシートが通されるスリット孔３５が形成されている。スリット孔の長さは特に限定されないが、カバー部のほぼ全長、概ね９０％以上の範囲にわたって設けるのがよい。少なくとも挿填可能なロールペーパーの最大幅よりも幅広となるようにするのが望ましい。また、スリット孔の幅Ｌは１０〜４０ｍｍとするのが望ましい。
【００２２】
本形態Ｘ１では、このスリット孔３５の幅方向両端部の基端側縁Ｅにのみ鋸刃部３５Ｅ，３５Ｅが設けられており、先端側縁には設けられていない。
【００２３】
鋸刃部３５Ｅ，３５Ｅの長さＬ１は適宜定めることができるが、裁断する紙にあたる部分が５〜５０ｍｍになるように配するのが好ましい。５ｍｍ未満では切り込みが入らない場合があり、５０ｍｍであると摩擦が大きくなり切る時に大きな抵抗となり、切りにくいと感じる可能性がある。また、一直線に綺麗に切れない場合が多くなる。
【００２４】
他方、スリット孔３５の両端の鋸刃部間の部分に３５ｃついては、好ましくは厚みが先薄となるように構成されているのが望ましい。厚みがあると、切る時の抵抗が大きくなるため切りにくいと感じる可能性がある。ただし、鋭利にする必要ななく、むしろ鋭利ではないほうが安全面等から望ましい。
【００２５】
このように本形態のロールペーパーホルダＸ１では、幅方向の両端部の特にカバー基端側の縁にのみ鋸刃部３５Ｅ，３５Ｅを有するスリット孔３５の存在によって、当該スリット孔３５を通してロールペーパーのシート端部を適当量引き出した後、そのシート端部の特に幅方向の一方側部近傍を手で掴んで上方に向かって、大きく腕を上げるようにしてシート端部を一気に捲りあげると、前記シートの幅方向側部が鋸刃部との大きな摩擦によって幅方向に切り込まれ、その後に鋸刃部のない低摩擦な縁に沿って一直線にペーパーが切断され、もって切断面の綺麗なペーパーが得られる。
【００２６】
他方、このスリット孔３５は、前端３ｅが装填状態のロールペーパーの前端近傍に位置して、ロールペーパーの上端部を被覆するような位置及び大きさに関して一般的な構成を採るカバー部、例えば、前端部３Ｆがロールペーパーと接する折線より前方に位置して、常にロールペーパーと接しないように構成されたカバー部においては、その前端３ｅから１０〜５０ｍｍの範囲に形成されているのが望ましい。当該範囲にあると、上述のカバー部３の前端位置との関係から、ペーパーを捲りあげる操作をしたときに、カバー部３がつられて持ち上がることがなく、確実にペーパーの幅方向側部が、前記鋸刃部３５Ｅとすれて切り込みが入るようになる。
【００２７】
なお、本スリット孔３５の構成は、前記鋸刃部３５Ｅは、カバー部３の前端３ｅではなく、スリット孔３５の縁に位置しているため、意図せず触れて身体を傷つけることがないという利点もある。
【００２８】
また、本形態のスリット孔３５は、より好ましい形態として、幅方向両端部の特にカバー前端側３５ＦがＲ状に湾曲されている。この湾曲部３５Ｆによって、当該スリット３５孔から引き出されたシートの端部を上述のように上方に引き上げる操作をした際に、紙を引き出した時にこの湾曲部３５Ｆにシートの側縁がガイドされ、上方に引き上げる操作をした時に前記鋸刃部３５Ｅに当接するようになる。
【００２９】
ここで、本発明者らは、幅方向の全体にわたって、鋸刃部を設けた場合には、摩擦が大きくなりすぎて、一直線に綺麗に切断することができず、また、鋸刃部がない場合には、切断自体ができない場合が有ることを知見している。
【００３０】
そして、この鋸刃部３５に関しては、坪量３７〜１００ｇ／ｍ2のミートペーパーにおいては、図２に示されるピッチＬ２が１ｍｍ以上、好適には１〜２．５ｍｍ、刃高さＬ３が０．５ｍｍ以上であるのが望ましい。ピッチが１ｍｍ未満であると破れの開始が効果的に発生せず、同様に刃高さが０．５ｍｍ未満であると、破れの開始が効果的に発生しない。
【００３１】
なお、本ロールペーパーホルダＸ１は、トイレットペーパーのような低坪量のクレープ紙には適さない。低坪量のクレープ紙の場合、鋸刃等の刃があれば柔らかいトイレットペーパーであればカバーの自重だけで紙が切れることもあり、逆に刃のない部分で紙が切り取りにくくなる場合がある。本発明のペーパーホルダーは、ミートペーパーとも呼ばれる坪量２０〜１００ｇ／ｍ2、特に、一般的には３７〜６０ｇ／ｍ2程度のクレープ紙に対して使用されることで効果が発揮される。
【００３２】
〔第２の実施の形態〕
次いで、本発明の第２の実施の形態Ｘ２を説明する。本第２の形態Ｘ２は、カバー部３の特にスリット孔３５の構成においてのみ第１の実施の形態Ｘ１と相違している。その他の構成については、上述の第１の実施の形態Ｘ１と同様であるので、相異点のみ説明する。
【００３３】
本形態のスリット孔３５は、図３に示すように、スリットの幅方向両端部におけるカバー部３の基端側縁Ｅ及び前端側縁Ｆの双方に鋸刃部３５，３５が設けられている。
通常、壁面にホルダを設置する場合には作業台の上から目線の高さの間で設置する。この場合、身体的特徴から人によっては目線の位置よりも上に設置される場合がある。この場合、ホルダの下側に紙を引いて紙を切断することもありうるからである。
本形態の前端側における鋸刃部のピッチ、刃高さ、長さなどの具体的構成についても、第１の実施の形態における基端側のそれと同様である。
本形態のロールペーパーホルダは、例えば、壁掛けにしたときなど、スリット孔より引き出されたシート端部を下方に引っ張るようにしても効果的に裁断できるようになる。
【００３４】
〔第３の実施の形態〕
次いで、本発明の第３の実施の形態Ｘ３を説明する。本第３の形態Ｘ３もまた、カバー部３の構成においてのみ第１の実施の形態Ｘ１と相違している。その他の構成については、上述の第１の実施の形態Ｘ１と同様であるので、相異点のみ説明する。
【００３５】
本形態Ｘ３のカバー部３は、その前端３ｅの幅方向中央部から湾曲しつつカバー部３の両側縁に向かって延在する細長に欠損された一対の欠損部３６，３６が形成されている。そして、この欠損部３６，３６の幅方向最奥部のカバー部３の基端側縁に対して鋸刃部３５Ｅ，３５Ｅが設けられている。
【００３６】
本形態のロールペーパーホルダＸ３では、カバー部の３前端３ｅより先にシート端部が露出するようにシート端部を引っ張りだし、その後に、その引き出した部分の一方側部を、前記欠損部３６に挿入し、その後に第１の実施の形態と同様に捲りあげる操作をして、シートを裁断する。
【００３７】
本形態では、シートの幅方向の側部に切断開始の切れ目入った後、カバー部の半分程度まで欠損部のカバー部基端側の縁によって、それ以降はカバー部の前端にガイドされてシートが一直線に綺麗に切断される。
【００３８】
以上本発明を図面の実施例について説明したが、本発明は上記した実施例に限定されるものではなく、ホルダ本体部、カバー部、軸支部の構成は、特許請求の範囲に記載した構成を変更しない限り適宜に実施できる。例えば、一つの支持板部の前端部から背壁部１２に平行に長尺の軸支部を有する構成として、ロールペーパーを片持ちで回動自在に支持する構成が例示できる。
【００３９】
〔試験例〕
本発明の鋸刃部の効果について試験したのでその結果を以下にしめす。
試験に用いたホルダは、カバー部の前端部にスリット孔を有するものであって、試験例１は、図２でいうところの刃高さＬ３＝１．５ｍｍ、ピッチＬ２＝１ｍｍ、幅Ｌ１＝１５ｍｍで鋸刃部を前記スリット孔の両端部のカバー部基端側に設けたもの、試験例２は、刃高さＬ３＝０．４ｍｍ、ピッチＬ２＝１ｍｍ、幅Ｌ１＝１５ｍｍで鋸刃部をスリット孔の両端部のカバー部基端側縁に設けたもの、試験例３は、鋸刃部を有さないもの、試験例４は、スリット孔のカバー部基端側縁全体が鋭利なカッター刃で構成されているものとした。
【００４０】
試験方法は、スリット孔よりシートを６００ｍｍ引き出し、その引き出したシート端部の先端縁の幅方向側部にプッシュプルゲージを接続し、そのゲージを持って、上述のシート端部をめくり上げてシートを切断する操作を行った。そして、その裁断の際に必要となった力をプッシュプルゲージの目盛りから読み取った。
結果は、試験例１は、０．１６ｋｇｆ、試験例２は、１．９６ｋｇｆ、試験例３は、１．８７ｋｇｆという結果となった。
【００４１】
試験例１は、紙を引き出し切断する際に、鋸刃部に十分な摩擦がかかったことで幅方向に切り込まれ、その後に鋸刃部のない低摩擦な縁に沿って一直線にペーパーが切断され、もって切断面の綺麗なペーパーが得られた。鋸刃部での切断がスムーズにできたことから弱い力で綺麗に紙を裁断することができた。
【００４２】
試験例２は、紙を引き出し切断する際に、鋸刃部の刃高さが低いことから十分な摩擦がかからなかった。このためより大きな力をかけなければ紙が切れはじめなかった。しかしミシン刃の部分で紙が切れ始めればその後は鋸刃部のない低摩擦な縁に沿って一直線にペーパーが切断され、もって切断面の綺麗なペーパーが得られた。
【００４３】
試験例３は、紙を引き出し切断する際に、鋸刃部がないことから殆んど摩擦がかからなかった。摩擦がかからないことから紙がカバー基端側の縁から切れはじめないため、その後縁に沿って切ることができなかった。その結果、切断面の綺麗なペーパーが得られなかった。
【産業上の利用可能性】
【００４４】
本願発明は、坪量が２０〜１００ｇ／ｍ2の長尺のクレープ紙を巻取ったロールペーパーに利用可能である。
【図面の簡単な説明】
【００４５】
【図１】本発明のペーパーホルダーの第１の実施の形態の斜視図である。
【図２】そのカバー部の前端側の拡大正面図である。
【図３】第２の実施の形態にかかるカバー部の前端側の拡大正面図である。
【図４】第３の実施の形態にかかるカバー部の前端側の拡大正面図である。
【符号の説明】
【００４６】
Ｘ１〜Ｘ３…ロールペーパーホルダ、１…ホルダ本体部、２…軸支部、３…カバー部、３ｅ…カバー部前端、３Ｆ…カバー部前端部、Ｒ…ロールペーパー、１１…台座部、１２…背壁部、１２Ｖ…溝部、１３…支持板部、１３Ａ…凸部、ｒ１…ロールペーパーの管芯、３１…回転軸、３５Ｅ…鋸刃部、３５ｃ…鋸刃部の間の部分、３５Ｆ…湾曲部、Ｌ１…鋸刃部の長さ、Ｌ２…鋸刃部のピッチ、Ｌ３…鋸刃部の刃高さ。
【図１】
2010052817.tif 000003
【図２】
2010052817.tif 000004
【図３】
2010052817.tif 000005
【図４】
2010052817.tif 000006